(57)【要約】【課題】拡散符号を用いた通信方式による通信に際して、所望の通信情報を担う通信周波数が含まれているものと見込まれる周波数範囲から通信周波数ｆｃを能率よく探索することによって、所望の通信情報を担う通信周波数を速やかに判定し、消費電力の低減についても十分な特性を得ることができる拡散符号を用いた通信方式の受信装置、を提供する。【解決手段】ＲＦ信号受信部１１０での受信信号強度が所定の水準Ｐｎを上回る場合には周波数選択部１５１で限定された候補となる周波数に限って信号処理部１４０中の同期部１４１における相関ピーク検出の状況に基づいて第１の通信周波数は通信部１５２で通信周波数ｆｃを判定し、受信信号強度が所定の水準Ｐｎ以下の場合には、周波数選択部１５１に依存せず相関ピーク検出から通信周波数ｆｃを判定する。【選択図】図１
2008153814.tif 000002
【特許請求の範囲】
【請求項１】
拡散符号を用いた通信方式の信号を受信するＲＦ信号受信部で受信される信号の周波数範囲から所望の通信情報を担う通信周波数を判定するように構成された受信装置であって、
前記通信周波数が含まれていると見込まれる所定の周波数範囲に亘って受信周波数に対応するＲＦ信号の信号強度を検出するＲＦ信号強度検出部と、
前記拡散符号を用いた通信方式の信号に関する相関ピーク検出を含む同期処理を行う同期部と、
前記ＲＦ信号強度検出部によって検出された信号強度が所定の水準を上回る場合には、前記受信周波数の中から前記通信周波数の候補を選択する周波数選択部と、
前記周波数選択部によって選択された前記通信周波数の候補のうちから、前記同期部における当該相関ピーク検出の状況に基づいて前記通信周波数を判定する第１通信周波数判定部と、
前記ＲＦ信号強度検出部によって検出されたＲＦ信号強度が前記所定の水準以下である場合には、前記周波数範囲の全域から、前記同期部における当該相関ピーク検出の状況に基づいて前記通信周波数を判定する第２通信周波数判定部と、
前記ＲＦ信号受信部、ＲＦ信号強度検出部、同期部、周波数選択部、第１通信周波数判定部、および、第２通信周波数判定部の動作を制御するシステムコントローラと、
を備えていることを特徴とする受信装置。
【請求項２】
前記ＲＦ信号受信部は、前記システムコントローラの制御下で、前記周波数範囲における所定の全ての被検出周波数を走査するように逐次受信し、
前記ＲＦ信号強度検出部は、前記システムコントローラの制御下で、前記ＲＦ信号受信部によって逐次受信された全ての被検出周波数の各ＲＦ信号の信号強度をそれぞれ検出し該検出された信号強度を当該各信号強度に対応する周波数と共に保持し、
前記周波数選択部は、前記ＲＦ信号強度検出部に保持された信号強度が大きい順に当該各信号強度に対応する周波数を前記通信周波数の候補として選択し、
前記第１周波数判定部は、前記システムコントローラの制御下で、前記周波数選択部によって選択された順に従って、前記同期部における相関ピーク検出の状況に基づいて前記通信周波数に該当するか否かを逐次判定することを特徴とする請求項１に記載の受信装置。
【請求項３】
前記ＲＦ信号受信部は、前記システムコントローラの制御下で、前記周波数範囲における予定された複数の被検出周波数を昇順または降順に逐次受信し、
前記ＲＦ信号強度検出部は、前記システムコントローラの制御下で、前記ＲＦ信号受信部によって逐次受信された被検出周波数毎のＲＦ信号の信号強度をそれぞれ検出し、
前記周波数選択部は、前記ＲＦ信号強度検出部によって検出された信号強度が所定の水準以上である周波数を前記通信周波数の候補であると選択し、
前記第１周波数判定部は、前記システムコントローラの制御下で、前記周波数選択部によって前記通信周波数の候補として選択された周波数に関して前記同期部における相関ピーク検出の状況に基づいて前記通信周波数に該当するか否かを判定することを特徴とする請求項１に記載の受信装置。
【請求項４】
前記ＲＦ信号受信部は、前記システムコントローラの制御下で、前記周波数範囲における予定された複数の被検出周波数を当該被検出周波数が前記通信周波数に該当する確率の高い順に逐次受信し、
前記ＲＦ信号強度検出部は、前記システムコントローラの制御下で、前記ＲＦ信号受信部によって逐次受信された被検出周波数毎のＲＦ信号の信号強度をそれぞれ検出し、
前記周波数選択部は、前記ＲＦ信号強度検出部で検出された当該信号強度に対応する周波数を前記通信周波数の候補として選択し、
前記第１周波数判定部は、前記システムコントローラの制御下で、前記周波数選択部によって前記通信周波数の候補として選択された周波数に関して前記同期部における相関ピーク検出の状況に基づいて前記通信周波数に該当するか否かを判定することを特徴とする請求項１に記載の受信装置。
【請求項５】
前記ＲＦ信号受信部は、前記システムコントローラの制御下で、前記周波数範囲における予定された複数の被検出周波数を当該被検出周波数が前記通信周波数に該当する確率の高い順に逐次受信し、
前記ＲＦ信号強度検出部は、前記システムコントローラの制御下で、前記ＲＦ信号受信部によって逐次受信された被検出周波数毎のＲＦ信号の信号強度をそれぞれ検出し、
前記周波数選択部は、前記ＲＦ信号強度検出部で検出された当該信号強度が所定の水準以上である信号強度に対応する周波数を前記通信周波数の候補として選択し、
前記第１周波数判定部は、前記システムコントローラの制御下で、前記周波数選択部によって前記通信周波数の候補として選択された周波数に関して前記同期部における相関ピーク検出の状況に基づいて前記通信周波数に該当するか否かを判定することを特徴とする請求項１に記載の受信装置。
【請求項６】
前記ＲＦ信号受信部は、前記システムコントローラの制御下で、前記周波数範囲における所定の全ての被検出周波数を走査するように逐次受信し、
前記ＲＦ信号強度検出部は、前記システムコントローラの制御下で、前記ＲＦ信号受信部によって逐次受信された全ての被検出周波数の各ＲＦ信号の信号強度をそれぞれ検出し該検出された信号強度を当該各信号強度に対応する周波数と共に保持し、
前記周波数選択部は、前記ＲＦ信号強度検出部に保持された各被検出周波数毎の信号強度に当該各被検出周波数が前記通信周波数に該当する確率を乗じて得た重み付けされたレベルの高さの順に当該各信号強度に対応する周波数を前記通信周波数の候補として選択し、
前記第１周波数判定部は、前記システムコントローラの制御下で、前記周波数選択部によって選択された順に従って、前記同期部における相関ピーク検出の状況に基づいて前記通信周波数に該当するか否かを逐次判定することを特徴とする請求項１に記載の受信装置。
【請求項７】
前記ＲＦ信号強度検出部は、前記ＲＦ信号受信部で受信された信号をアナログデジタル変換して得たデジタル信号に関する振幅の値に所定の平均化処理を施して得た平均化振幅レベルを検出出力として得るように構成されていることを特徴とする請求項１〜６の何れか一項に記載の受信装置。
【請求項８】
前記ＲＦ信号強度検出部は、前記ＲＦ信号受信部で受信された信号をアナログデジタル変換して得たデジタル信号に対して所定のフィルタリングおよび積分処理を施して得たフィルタリング・積分値を検出出力として得るように構成されていることを特徴とする請求項１〜６の何れか一項に記載の受信装置。
【請求項９】
前記ＲＦ信号強度検出部は、前記ＲＦ信号受信部で受信された信号に関するＲＳＳＩ（Receive Signal Strength Indication）における検出電力の値を検出出力として得るように構成されていることを特徴とする請求項１〜６の何れか一項に記載の受信装置。
【請求項１０】
拡散符号を用いた通信方式の信号を受信するＲＦ受信部で受信される信号の周波数範囲から所望の通信情報を担う通信周波数を判定するように構成された受信装置であって、
前記拡散符号を用いた通信方式の信号に関する相関ピーク検出を含む同期処理を行う同期部と、
前記同期部における当該相関ピーク検出の状況に基づいて前記通信周波数を判定する周波数判定部と、
前記ＲＦ受信部、同期部、および、周波数判定部の動作を制御するシステムコントローラと、
を備えていることを特徴とする受信装置。
【請求項１１】
拡散符号を用いた通信方式の通信に用いられる周波数範囲から所望の通信情報を担う通信周波数を判定する受信方法であって、
前記通信周波数が含まれていると見込まれる所定の周波数範囲に亘って受信周波数に対応するＲＦ信号の信号強度を検出し、
前記検出した信号強度が所定の水準を上回る場合には、前記受信周波数範囲から前記通信周波数に一致している蓋然性がある周波数の候補を選択し、
前記選択した前記周波数の候補のうちから、拡散符号を用いた通信方式の信号の復調に係る同期処理における当該相関ピーク検出の状況に基づいて前記通信周波数を判定し、
前記検出したＲＦ信号強度が前記所定の水準以下である場合には、前記周波数範囲の全域から、拡散符号を用いた通信方式の信号の復調に係る同期処理における当該相関ピーク検出の状況に基づいて前記通信周波数を判定することを特徴とする受信方法。
【請求項１２】
拡散符号を用いた通信方式の通信に用いられる周波数範囲から所望の通信情報を担う通信周波数を判定する受信方法であって、
前記通信周波数が含まれていると見込まれる所定の周波数範囲に亘って受信周波数に対応するＲＦ信号の信号強度を検出し、
前記周波数範囲の全域から、拡散符号を用いた通信方式の信号の復調に係る同期処理における当該相関ピーク検出の状況に基づいて前記通信周波数を判定することを特徴とする受信方法。
【発明の詳細な説明】
【技術分野】
【０００１】
本発明は、拡散符号を用いた通信方式の受信装置、および、受信方法に関し、特に、拡散符号を用いた通信方式のＲＦ信号受信部で受信信号される信号の周波数範囲から所望の通信情報を担う通信周波数を判定する受信装置、および、受信方法の改良に関する。
【背景技術】
【０００２】
拡散符号を用いた通信方式において、例えばＣＤＭＡ（Code Division Multiple Access）方式の規格では数１０チャネルが帯域として規定されており、国やキャリアごとに割り当ててある周波数が異なっている。このため世界中で使用可能なように通信（受信）装置を構成する場合、このＣＤＭＡ方式によって通信（受信）を行うに際して、目下の状況下では、これら数１０チャネルのうちの何れが当該通信（受信）装置の使用条件における所望の通信情報を担う通信周波数であるのかを判定する必要がある。
【０００３】
このような多くのチャネルの中から、所望の通信情報を担う通信周波数を判定する場合、従来は、このような通信周波数が存在している可能性のある全周波数帯域に対して拡散符号を用いた通信方式の復調および復号処理を行って、この処理結果に基づいて、所望の通信情報を担う通信周波数であるかを判定していた（例えば特許文献１参照）。
【特許文献１】特表平９−５０３３７４号公報
【発明の開示】
【発明が解決しようとする課題】
【０００４】
しかしながら、所望の通信情報を担う通信周波数が含まれているものと見込まれる全周波数帯域に対して拡散符号を用いた通信方式の復調および復号処理（所謂ベースバンドの信号処理）を行って通信周波数を探索し判定を行う場合、ベースバンドの信号処理は、長時間を要し、従って、受信装置の消費電力も大きなものとなる。
本発明はこのような事情に鑑みてなされたものであり、拡散符号を用いた通信方式による通信に際して、所望の通信情報を担う通信周波数が含まれているものと見込まれる周波数範囲から当該通信周波数を効率よく探索することによって、所望の通信情報を担う通信周波数を速やかに判定し、消費電力の低減についても十分な特性を得ることができる拡散符号を用いた通信方式の受信装置、および、受信方法を提供することを目的としている。
【課題を解決するための手段】
【０００５】
上記課題を解決するべく、本願では次に列記するような技術を提案する。
（１）拡散符号を用いた通信方式の信号を受信するＲＦ信号受信部で受信される信号の周波数範囲から所望の通信情報を担う通信周波数を判定するように構成された拡散符号を用いた通信方式の受信装置であって、
前記通信周波数が含まれていると見込まれる所定の周波数範囲に亘って受信周波数に対応するＲＦ信号の信号強度を検出するＲＦ信号強度検出部と、
前記拡散符号を用いた通信方式の信号に関する相関ピーク検出を含む同期処理を行う同期部と、
前記ＲＦ信号強度検出部によって検出された信号強度が所定の水準を上回る場合には、前記受信周波数の中から前記通信周波数の候補を選択する周波数選択部と、
前記周波数選択部によって選択された前記通信周波数の候補のうちから、前記同期部における当該相関ピーク検出の状況に基づいて前記通信周波数を判定する第１通信周波数判定部と、
前記ＲＦ信号強度検出部によって検出されたＲＦ信号強度が前記所定の水準以下である場合には、前記周波数範囲の全域から、前記同期部における当該相関ピーク検出の状況に基づいて前記通信周波数を判定する第２通信周波数判定部と、
前記ＲＦ信号受信部、ＲＦ信号強度検出部、同期部、周波数選択部、第１通信周波数判定部、および、第２通信周波数判定部の動作を制御するシステムコントローラと、
を備えていることを特徴とする拡散符号を用いた通信方式の受信装置。
【０００６】
上記（１）の拡散符号を用いた通信方式の受信装置では、ＲＦ信号受信部で、所望の通信情報を担う通信周波数が含まれていると見込まれる所定の周波数範囲の拡散符号を用いた通信方式の信号を受信し、ＲＦ信号強度検出部で、該所定の周波数範囲に亘って受信周波数に対応するＲＦ信号の信号強度を検出する。
周波数選択部で、ＲＦ信号強度検出部によって検出された信号強度が所定の水準を上回る場合には、該受信周波数の中から通信周波数の候補を選択し、第１通信周波数判定部で、周波数選択部によって選択された通信周波数の候補のうちから、拡散符号を用いた通信方式の信号に関する相関ピーク検出を含む同期処理を行う同期部における当該相関ピーク検出の状況に基づいて前記通信周波数を判定する。
【０００７】
一方、ＲＦ信号強度検出部によって検出されたＲＦ信号強度が所定の水準以下である場合には、第２通信周波数判定部で、所望の通信情報を担う通信周波数が含まれていると見込まれる所定の周波数範囲の全域から、前記同期部における当該相関ピーク検出の状況に基づいて前記通信周波数を判定する。
ＲＦ信号強度検出部によって検出された信号強度が所定の水準（例えば、所謂ノイズフロア）を上回る場合には、周波数選択部によって絞り込まれた限定的な周波数範囲に関して第１通信周波数判定部で、同期部における当該相関ピーク検出の状況に基づいて前記通信周波数を判定する。このため、同期部における当該相関ピーク検出を俟って行う判定処理の対象が相対的に限定されたものとなって、判定時間が短縮され、ひいては、消費電力が低減される。
【０００８】
他方、ＲＦ信号強度が所定の水準以下である場合には第２通信周波数判定部で通信周波数を判定することができるため、受信されるＲＦ信号強度が所定の水準（例えば、所謂ノイズフロア）を下回る場合でも受信信号の復調が可能であるといった拡散符号を用いた通信方式の受信装置の特徴がそのまま発揮され得る。
同期部における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【０００９】
（２）前記ＲＦ信号受信部は、前記システムコントローラの制御下で、前記周波数範囲における所定の全ての被検出周波数を走査するように逐次受信し、
前記ＲＦ信号強度検出部は、前記システムコントローラの制御下で、前記ＲＦ信号受信部によって逐次受信された全ての被検出周波数の各ＲＦ信号の信号強度をそれぞれ検出し該検出された信号強度を当該各信号強度に対応する周波数と共に保持し、
前記周波数選択部は、前記ＲＦ信号強度検出部に保持された信号強度が大きい順に当該各信号強度に対応する周波数を前記通信周波数の候補として選択し、
前記第１周波数判定部は、前記システムコントローラの制御下で、前記周波数選択部によって選択された順に従って、前記同期部における相関ピーク検出の状況に基づいて前記通信周波数に該当するか否かを逐次判定することを特徴とする（１）の拡散符号を用いた通信方式の受信装置。
【００１０】
上記（２）の拡散符号を用いた通信方式の受信装置では、（１）の拡散符号を用いた通信方式の受信装置による作用において特に、所望の通信情報を担う通信周波数が含まれていると見込まれる周波数範囲の全域に亘って、信号強度が大きい順に、所定の全ての被検出周波数を走査するように逐次通信周波数の判定を行う。
これは、信号強度が大きい順位が、前記通信周波数に一致している蓋然性の高さの順位と考えられるためである。
【００１１】
（３）前記ＲＦ信号受信部は、前記システムコントローラの制御下で、前記周波数範囲における予定された複数の被検出周波数を昇順または降順に逐次受信し、
前記ＲＦ信号強度検出部は、前記システムコントローラの制御下で、前記ＲＦ信号受信部によって逐次受信された被検出周波数毎のＲＦ信号の信号強度をそれぞれ検出し、
前記周波数選択部は、前記ＲＦ信号強度検出部によって検出された信号強度が所定の水準以上である周波数を前記通信周波数の候補として選択し、
前記第１周波数判定部は、前記システムコントローラの制御下で、前記周波数選択部によって前記通信周波数の候補として選択された周波数に関して前記同期部における相関ピーク検出の状況に基づいて前記通信周波数に該当するか否かを判定することを特徴とする（１）の拡散符号を用いた通信方式の受信装置。
【００１２】
上記（３）の拡散符号を用いた通信方式の受信装置では、（１）の拡散符号を用いた通信方式の受信装置による作用において特に、所望の通信情報を担う通信周波数が含まれていると見込まれる所定の周波数範囲における予定された複数の被検出周波数を昇順または降順に逐次受信し、逐次受信する毎にＲＦ信号の信号強度が所定の強度以上であるか否かを逐次検出処理し、所定の強度以上である周波数に関して、同期部における相関ピーク検出の状況に基づいて前記通信周波数に該当するか否かを判定する。
【００１３】
（４）前記ＲＦ信号受信部は、前記システムコントローラの制御下で、前記周波数範囲における予定された複数の被検出周波数を当該被検出周波数が前記通信周波数に該当する確率の高い順に逐次受信し、
前記ＲＦ信号強度検出部は、前記システムコントローラの制御下で、前記ＲＦ信号受信部によって逐次受信された被検出周波数毎のＲＦ信号の信号強度をそれぞれ検出し、
前記周波数選択部は、前記ＲＦ信号強度検出部で検出された当該信号強度に対応する周波数を前記通信周波数の候補として選択し、
前記第１周波数判定部は、前記システムコントローラの制御下で、前記周波数選択部によって前記通信周波数の候補として選択された周波数に関して前記同期部における相関ピーク検出の状況に基づいて前記通信周波数に該当するか否かを判定することを特徴とする（１）の拡散符号を用いた通信方式の受信装置。
【００１４】
上記（４）の拡散符号を用いた通信方式の受信装置では、（１）の拡散符号を用いた通信方式の受信装置による作用において特に、所望の通信情報を担う通信周波数が含まれていると見込まれる所定の周波数範囲における予定された複数の被検出周波数を当該被検出周波数が前記通信周波数に該当する確率の高い順に逐次受信し、逐次受信する毎に同期部における相関ピーク検出の状況に基づいて前記通信周波数に該当するか否かを判定する。
【００１５】
（５）前記ＲＦ信号受信部は、前記システムコントローラの制御下で、前記周波数範囲における予定された複数の被検出周波数を当該被検出周波数が前記通信周波数に該当する確率の高い順に逐次受信し、
前記ＲＦ信号強度検出部は、前記システムコントローラの制御下で、前記ＲＦ信号受信部によって逐次受信された被検出周波数毎のＲＦ信号の信号強度をそれぞれ検出し、
前記周波数選択部は、前記ＲＦ信号強度検出部で検出された当該信号強度が所定の水準以上である信号強度に対応する周波数を前記通信周波数の候補として選択し、
前記第１周波数判定部は、前記システムコントローラの制御下で、前記周波数選択部によって前記通信周波数の候補として選択された周波数に関して前記同期部における相関ピーク検出の状況に基づいて前記通信周波数に該当するか否かを判定することを特徴とする（１）の拡散符号を用いた通信方式の受信装置。
【００１６】
上記（５）の拡散符号を用いた通信方式の受信装置では、（１）の拡散符号を用いた通信方式の受信装置による作用において特に、所望の通信情報を担う通信周波数が含まれていると見込まれる所定の周波数範囲における予定された複数の被検出周波数を当該被検出周波数が前記通信周波数に該当する確率の高い順に逐次受信し、逐次受信された被検出周波数毎のＲＦ信号の信号強度が所定水準以上である信号強度に対応する周波数に関して、同期部における相関ピーク検出の状況に基づいて前記通信周波数に該当するか否かを判定する。
【００１７】
（６）前記ＲＦ信号受信部は、前記システムコントローラの制御下で、前記周波数範囲における所定の全ての被検出周波数を走査するように逐次受信し、
前記ＲＦ信号強度検出部は、前記システムコントローラの制御下で、前記ＲＦ信号受信部によって逐次受信された全ての被検出周波数の各ＲＦ信号の信号強度をそれぞれ検出し該検出された信号強度を当該各信号強度に対応する周波数と共に保持し、
前記周波数選択部は、前記ＲＦ信号強度検出部に保持された各被検出周波数毎の信号強度に当該各被検出周波数が前記通信周波数に該当する確率を乗じて得た重み付けされたレベルの高さの順に当該各信号強度に対応する周波数を前記通信周波数の候補として選択し、
前記第１周波数判定部は、前記システムコントローラの制御下で、前記周波数選択部によって選択された順に従って、前記同期部における相関ピーク検出の状況に基づいて前記通信周波数に該当するか否かを逐次判定することを特徴とする（１）の拡散符号を用いた通信方式の受信装置。
【００１８】
上記（６）の拡散符号を用いた通信方式の受信装置では、（１）の拡散符号を用いた通信方式の受信装置による作用において特に、所望の通信情報を担う通信周波数が含まれていると見込まれる所定の周波数範囲における所定の全ての被検出周波数を走査するように逐次受信し、更に、各被検出周波数毎の信号強度に当該各被検出周波数が前記通信周波数に該当する確率を乗じて得た重み付けされたレベルの高さの順に当該各信号強度に対応する周波数を前記通信周波数の候補として、この順に従って、同期部における相関ピーク検出の状況に基づいて前記通信周波数に該当するか否かを逐次判定する。
これは、当該レベルの順位が、前記通信周波数に一致している蓋然性の高さの順位と考えられるためである。
【００１９】
（７）前記ＲＦ信号強度検出部は、前記ＲＦ信号受信部で受信された信号をアナログデジタル変換して得たデジタル信号に関する振幅の値に所定の平均化処理を施して得た平均化振幅レベルを検出出力として得るように構成されていることを特徴とする（１）〜（６）の何れか一の拡散符号を用いた通信方式の受信装置。
上記（７）の拡散符号を用いた通信方式の受信装置では、（１）〜（６）の何れか一の拡散符号を用いた通信方式の受信装置による作用において特に、ＲＦ信号受信部で受信された信号をアナログデジタル変換して得たデジタル信号に関する振幅の値に所定の平均化処理を施して得た平均化振幅レベルをＲＦ信号強度検出部の検出出力として得る。
【００２０】
（８）前記ＲＦ信号強度検出部は、前記ＲＦ信号受信部で受信された信号をアナログデジタル変換して得たデジタル信号に対して所定のフィルタリングおよび積分処理を施して得たフィルタリング・積分値を検出出力として得るように構成されていることを特徴とする（１）〜（６）の何れか一の拡散符号を用いた通信方式の受信装置。
上記（８）の拡散符号を用いた通信方式の受信装置では、（１）〜（６）の何れか一の拡散符号を用いた通信方式の受信装置による作用において特に、ＲＦ信号受信部で受信された信号をアナログデジタル変換して得たデジタル信号に対して所定のフィルタリングおよび積分処理を施して得たフィルタリング・積分値をＲＦ信号強度検出部の検出出力として得る。
【００２１】
（９）前記ＲＦ信号強度検出部は、前記ＲＦ信号受信部で受信された信号に関するＲＳＳＩ（Receive Signal Strength Indication）における検出電力の値を検出出力として得るように構成されていることを特徴とする（１）〜（６）の何れか一の拡散符号を用いた通信方式の受信装置。
上記（９）の拡散符号を用いた通信方式の受信装置では、（１）〜（６）の何れか一の拡散符号を用いた通信方式の受信装置による作用において特に、ＲＦ信号受信部で受信された信号に関するＲＳＳＩ（Receive Signal Strength Indication）における検出電力の値をＲＦ信号強度検出部の検出出力として得る。
【００２２】
（１０）拡散符号を用いた通信方式の信号を受信するＲＦ受信部で受信される信号の周波数範囲から所望の通信情報を担う通信周波数を判定するように構成された拡散符号を用いた通信方式の受信装置であって、
前記拡散符号を用いた通信方式の信号に関する相関ピーク検出を含む同期処理を行う同期部と、
前記同期部における当該相関ピーク検出の状況に基づいて前記通信周波数を判定する周波数判定部と、
前記ＲＦ受信部、同期部、および、周波数判定部の動作を制御するシステムコントローラと、
を備えていることを特徴とする拡散符号を用いた通信方式の受信装置。
【００２３】
上記（１０）の拡散符号を用いた通信方式の受信装置では、所望の通信情報を担う通信周波数が含まれていると見込まれる所定の周波数範囲の全域から、同期部における当該相関ピーク検出の状況に基づいて前記通信周波数を判定する。
受信されるＲＦ信号強度がノイズフロアを下回る場合でも受信信号の復調が可能であるといった拡散符号を用いた通信方式の受信装置の特徴がそのまま発揮される。更に、同期部における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【００２４】
（１１）拡散符号を用いた通信方式の通信に用いられる周波数範囲から所望の通信情報を担う通信周波数を判定する拡散符号を用いた通信方式の受信方法であって、
前記通信周波数が含まれていると見込まれる所定の周波数範囲に亘って受信周波数に対応するＲＦ信号の信号強度を検出し、
前記検出した信号強度が所定の水準を上回る場合には、前記受信周波数範囲から前記通信周波数に一致している蓋然性がある周波数の候補を選択し、
前記選択した前記周波数の候補のうちから、拡散符号を用いた通信方式の信号の復調に係る同期処理における当該相関ピーク検出の状況に基づいて前記通信周波数を判定し、
前記検出したＲＦ信号強度が前記所定の水準以下である場合には、前記周波数範囲の全域から、拡散符号を用いた通信方式の信号の復調に係る同期処理における当該相関ピーク検出の状況に基づいて前記通信周波数を判定することを特徴とする拡散符号を用いた通信方式の受信方法。
【００２５】
上記（１１）の拡散符号を用いた通信方式の受信方法では、通信周波数が含まれていると見込まれる所定の周波数範囲に亘って受信周波数に対応するＲＦ信号の信号強度を検出し、該検出した信号強度が所定の水準を上回る場合には、前記受信周波数範囲から前記通信周波数に一致している蓋然性がある周波数の候補を選択し、該選択した前記周波数の候補のうちから、拡散符号を用いた通信方式の信号の復調に係る同期処理における当該相関ピーク検出の状況に基づいて前記通信周波数を判定し、一方、前記検出したＲＦ信号強度が前記所定の水準以下である場合には、前記周波数範囲の全域から、拡散符号を用いた通信方式の信号の復調に係る同期処理における当該相関ピーク検出の状況に基づいて前記通信周波数を判定する。
【００２６】
検出されたＲＦ信号の信号強度が所定の水準（例えば、所謂ノイズフロア）を上回る場合には、周波数選択部によって絞り込まれた限定的な周波数範囲に関して拡散符号を用いた通信方式の信号の復調に係る同期処理における当該相関ピーク検出の状況に基づいて前記通信周波数を判定する。このため、同期処理における当該相関ピーク検出を俟って行う判定処理の対象が相対的に限定されたものとなって、判定時間が短縮され、ひいては、消費電力が低減される。
【００２７】
他方、ＲＦ信号強度が所定の水準以下である場合にも通信周波数を判定することができるため、受信されるＲＦ信号強度が所謂ノイズフロアを下回る場合でも受信信号の復調が可能であるといった拡散符号を用いた通信方式の受信装置の特徴がそのまま発揮され得る。
同期処理における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【００２８】
（１２）拡散符号を用いた通信方式の通信に用いられる周波数範囲から所望の通信情報を担う通信周波数を判定する拡散符号を用いた通信方式の受信方法であって、
前記通信周波数が含まれていると見込まれる所定の周波数範囲に亘って受信周波数に対応するＲＦ信号の信号強度を検出し、
前記周波数範囲の全域から、拡散符号を用いた通信方式の信号の復調に係る同期処理における当該相関ピーク検出の状況に基づいて前記通信周波数を判定することを特徴とする拡散符号を用いた通信方式の受信方法。
【００２９】
上記（１２）の拡散符号を用いた通信方式の受信方法では、所望の通信情報を担う通信周波数が含まれていると見込まれる所定の周波数範囲に亘って受信周波数に対応するＲＦ信号の信号強度を検出し、前記周波数範囲の全域から、拡散符号を用いた通信方式の信号の復調に係る同期処理における当該相関ピーク検出の状況に基づいて前記通信周波数を判定する。
同期処理における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【発明を実施するための最良の形態】
【００３０】
以下、本発明の実施の形態を図面を参照して説明する。
図１は、本発明の実施の形態としての拡散符号を用いた通信方式（例えばＣＤＭＡやＧＰＳ）の受信装置を表すブロック図である。
図１の拡散符号を用いた通信方式の受信装置１０は、拡散符号を用いた通信方式の信号を受信するＲＦ信号受信部１１０で受信される信号の周波数範囲から所望の通信情報を担う通信周波数ｆｃを判定する。
【００３１】
ＲＦ信号受信部１１０で受信された信号はＡＤ（アナログデジタル）変換部１２０でデジタル信号に変換され、このデジタル信号が、上記の通信周波数ｆｃが含まれていると見込まれる所定の周波数範囲ｆBWに亘って受信周波数に対応するＲＦ信号の信号強度を検出するＲＦ信号強度検出部１３０に供給されると共に、該デジタル信号に所謂ベースバンド処理に該当する処理を含む復号処理を施して元の情報を得る信号処理部１４０に供給される。
ＲＦ信号受信部１１０、ＡＤ変換部１２０、ＲＦ信号強度検出部１３０、および、信号処理部１４０はシステムコントローラ１５０によって統括的に動作の態様やタイミングの歩調がとられるように制御される。
【００３２】
図２は、図１における信号処理部１４０の内部構成の要部を表すブロック図である。
図１のＡＤ変換部１２０から信号処理部１４０に供給されたデジタル信号は、信号処理部１４０中の図示しない前段部の回路によって、ローカル周波数信号を用いた公知のダウンコンバート処理等の信号処理によってＩ相の信号とＱ相の信号とに分離され、このＩ相の信号とＱ相の信号とが拡散符号を用いた通信方式の信号に関する相関ピーク検出を含む同期処理を行う同期部１４１に供給されると共に、スペクトラム拡散された拡散符号を用いた通信方式の信号に逆拡散処理を施す逆拡散部１４２に供給される。
逆拡散部１４２の出力は次段のデータ判定部１４３でデジタル信号に復され、更に次段の復号部１４４において復号されて、音声等の元の情報を表す信号にデコードされる。
【００３３】
図１における例では、システムコントローラ１５０は例えばマイクロプロセッサを主体に構成され、ＲＦ信号強度検出部１３０によって検出された信号強度が所定の水準（例えば、所謂ノイズフロア）Ｐｎを上回る場合には受信周波数の中から通信周波数ｆｃの候補を選択する周波数選択部１５１と、この周波数選択部１５１によって選択された通信周波数ｆｃの候補のうちから、図２の同期部１４１における当該相関ピーク検出の状況に基づいて通信周波数ｆｃを判定する第１通信周波数判定部１５２と、ＲＦ信号強度検出部１３０によって検出されたＲＦ信号強度が所定の水準Ｐｎ以下である場合には、通信周波数ｆｃが含まれていると見込まれる所定の周波数範囲ｆBWの全域から、図２の同期部１４１における当該相関ピーク検出の状況に基づいて通信周波数ｆｃを判定する第２通信周波数判定部１５３との各機能部を含む。
【００３４】
尚、より厳密には、第１通信周波数判定部１５２は、その要素として、図１のブロック図における信号処理部１４０の一部に該当する図２の同期部１４１を含んで構成され、同様に、第２通信周波数判定部１５３は、その要素として、図１のブロック図における信号処理部１４０の一部に該当する図２の同期部１４１を含んで構成されるものであり、この点は、以下に述べる各実施例について同様である。
【００３５】
図１および図２を参照して説明した本発明の実施の形態では、ＲＦ信号受信部１１０で、所望の通信情報を担う通信周波数ｆｃが含まれていると見込まれる所定の周波数範囲ｆBWの拡散符号を用いた通信方式の信号を受信し、ＲＦ信号強度検出部１３０で、該所定の周波数範囲ｆBWに亘って受信周波数に対応するＲＦ信号の信号強度を検出する。
システムコントローラ１５０に一つの機能部として備えられた周波数選択部１５１で、ＲＦ信号強度検出部１３０によって検出された信号強度が所定の水準Ｐｎを上回る場合には、該受信周波数の中から通信周波数ｆｃの候補を選択し、これもシステムコントローラ１５０に一つの機能部として備えられた第１通信周波数判定部１５２で、周波数選択部１５１によって選択された通信周波数の候補のうちから、拡散符号を用いた通信方式の信号に関する相関ピーク検出を含む同期処理を行う同期部１４１（図２）における当該相関ピーク検出の状況に基づいて通信周波数ｆｃを判定する。
【００３６】
一方、ＲＦ信号強度検出部１３０によって検出されたＲＦ信号強度が所定の水準Ｐｎ以下である場合には、システムコントローラ１５０に一つの機能部として備えられた第２通信周波数判定部１５３で、所望の通信情報を担う通信周波数ｆｃが含まれていると見込まれる所定の周波数範囲ｆBWの全域から、同期部１４１（図２）における当該相関ピーク検出の状況に基づいて通信周波数ｆｃを判定する。
【００３７】
ＲＦ信号強度検出部１３０によって検出された信号強度が所定の水準Ｐｎ（例えば、所謂ノイズフロア）を上回る場合には、周波数選択部１５１によって絞り込まれた限定的な周波数範囲に関して、第１通信周波数判定部１５２で、同期部１４１における当該相関ピーク検出の状況に基づいて通信周波数Ｐｎを判定する。このため、同期部１４１における当該相関ピーク検出を俟って行う判定処理の対象が相対的に限定されたものとなって、判定時間が短縮され、ひいては、消費電力が低減される。なお、相関ピーク検出の状況に基づいて前記通信周波数を判定するとは、相関ピークの大きさが予め決められた水準以上の場合、当該相関ピーク検出を行った受信周波数が所望（拡散符号を用いた通信方式）の信号であると判定することである。
【００３８】
他方、ＲＦ信号強度が所定の水準以下である場合には、第２通信周波数判定部１５３で通信周波数ｆｃを判定することができるため、受信されるＲＦ信号強度がノイズフロアを下回る場合（水準Ｐｎ以下の場合）でも受信信号の復調が可能であるといった拡散符号を用いた通信方式の受信装置の特徴がそのまま発揮され得る。
同期部１４１における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【００３９】
（第１の実施例）
図３は、既述の実施の形態をより具体的にした本発明の第１の実施例について説明するためのフローチャートである。尚、第１の実施例のブロック図上での構成は既述の図１および図２と同様であり、図３のフローチャートに表されている機能は、システムコントローラ１５０がＲＦ信号受信部１１０、ＡＤ変換部１２０、ＲＦ信号強度検出部１３０、および、信号処理部１４０を統括的に制御して、それらの動作の態様やタイミングの歩調を適切に調整すると共に、自己に備えられた上述の周波数選択部１５１、第１通信周波数判定部１５２、および、第２通信周波数判定部１５３を適切に働かせることによって実現される。
【００４０】
この第１の実施例では、所望の通信情報を担う通信周波数ｆｃが含まれていると見込まれる所定の周波数範囲ｆBWの全域に亘って、全ての被検出周波数を走査するように受信周波数を逐次切換えるようにして受信した上で、通信周波数ｆｃの判定を行う。
図４は、周波数範囲ｆBWが８００ＭＨｚ〜８９０ＭＨｚ、被検出周波数はこの範囲内で１０ＭＨｚ間隔で１０ポイントあると想定した場合の、各被検出周波数の信号強度を電力（或る相対値）で表した図である。
【００４１】
即ち、ＲＦ信号受信部１１０は、システムコントローラ１５０の制御下で、周波数範囲ｆBWにおける所定の全ての被検出周波数（図４の、８００ＭＨｚ、８１０ＭＨｚ、８２０ＭＨｚ、……、８９０ＭＨｚ）を走査するように逐次受信し、ＲＦ信号強度検出部１３０は、システムコントローラ１５０の制御下で、ＲＦ信号受信部１１０によって受信周波数を逐次切換えるようにして受信された全ての被検出周波数の各ＲＦ信号の信号強度をそれぞれ検出し、該検出された信号強度を当該各信号強度に対応する周波数と共に保持する（ステップＳ３０１→ステップＳ３０２→ステップＳ３０３→ステップＳ３０４→ステップＳ３０５→ステップＳ３０２）。
【００４２】
周波数選択部１５１は、ＲＦ信号強度検出部１３０に保持された信号強度が大きい順に当該各信号強度に対応する周波数を選択し、第１周波数判定部１５２は、システムコントローラ１５０の制御下（それ自体のマイクロプロセッサの作用）で、周波数選択部１５１によって選択された順に従って、図２の同期部１４１における相関ピーク検出を行い、その状況に基づいて通信周波数に該当するか否かを逐次判定する（ステップＳ３０６→ステップＳ３０７→ステップＳ３０８→ステップＳ３０９→ステップＳ３１０→ステップＳ３０７）。
【００４３】
同期部１４１における相関ピーク検出の状況に基づいて通信周波数ｆｃに該当する周波数が判定されたときには（ステップＳ３０８：Ｙｅｓ）、図３に「終了（１）」と表記されたように、目的とする周波数の判定が完了した形で処理を終了し、一方、周波数波範囲ｆBWにおける所定の全ての被検出周波数に対して同期部１４１における相関ピーク検出の状況に基づいて通信周波数ｆｃに該当する周波数の探索を行っても（ステップＳ３０６→ステップＳ３０７→ステップＳ３０８→ステップＳ３０９→ステップＳ３１０→ステップＳ３０７）該当する周波数が判定されないときには（ステップＳ３０８：Ｎｏ→ステップＳ３０９：Ｙｅｓ）、図３に「終了（２）」と表記されたように、目的とする周波数の判定が行えなかったという形で処理を終了する。
【００４４】
（第２の実施例）
図５は、既述の実施の形態をより具体的にした本発明の第２の実施例について説明するためのフローチャートである。尚、第２の実施例のブロック図上での構成は既述の図１および図２と同様であり、図５のフローチャートに表されている機能は、システムコントローラ１５０がＲＦ信号受信部１１０、ＡＤ変換部１２０、ＲＦ信号強度検出部１３０、および、信号処理部１４０を統括的に制御して、それらの動作の態様やタイミングの歩調を適切に調整すると共に、自己に備えられた上述の周波数選択部１５１、第１通信周波数判定部１５２、および、第２通信周波数判定部１５３を適切に働かせることによって実現される。
尚、周波数範囲ｆBWにおける被検出周波数の分布とそれら各被検出周波数の信号強度は、図４を参照して説明した状況と同様の状況であると仮定している。
【００４５】
この第２の実施例では、所望の通信情報を担う通信周波数ｆｃが含まれていると見込まれる所定の周波数範囲ｆBWにおける予定された複数の被検出周波数（図４の、８００ＭＨｚ、８１０ＭＨｚ、８２０ＭＨｚ、……、８９０ＭＨｚの１０ＭＨｚ間隔の１０ポイント）を昇順または降順に逐次受信し、逐次受信する毎にＲＦ信号の信号強度が所定の強度以上であるか否かを逐次検出処理し（ステップＳ５０１→ステップＳ５０２→ステップＳ５０３→ステップＳ５０４→ステップＳ５０５→ステップＳ５０２）、所定の強度以上である周波数に関して、同期部における相関ピーク検出の状況に基づいて前記通信周波数に該当するか否かを判定する（ステップＳ５０６）。
【００４６】
ＲＦ信号受信部１１０は、システムコントローラ１５０の制御下で、周波数範囲ｆBWにおける予定された複数の被検出周波数を昇順または降順に逐次受信し、ＲＦ信号強度検出部１３０は、システムコントローラ１５０の制御下で、ＲＦ信号受信部１１０によって逐次受信された被検出周波数毎のＲＦ信号の信号強度をそれぞれ検出する（ステップＳ５０１→ステップＳ５０２→ステップＳ５０３→ステップＳ５０４→ステップＳ５０５→ステップＳ５０２）。
【００４７】
周波数選択１５１部は、ＲＦ信号強度検出部１３０によって検出された信号強度が所定の水準Ｐｎ以上である周波数を通信周波数ｆｃの候補として選択し、第１周波数判定部１５２は、システムコントローラ１５０の制御下で、周波数選択部１５１によって通信周波数の候補として選択された周波数に関して図２の同期部１４１における相関ピーク検出の状況に基づいて通信周波数ｆｃに該当するか否かを判定する（ステップＳ５０６→ステップＳ５０７）。
【００４８】
同期部１４１における相関ピーク検出の状況に基づいて通信周波数ｆｃに該当する周波数が判定されたときには（ステップＳ５０７：Ｙｅｓ）、図５に「終了（１）」と表記されたように、目的とする周波数の判定が完了した形で処理を終了し、一方、ＲＦ信号強度検出部１３０によって検出された信号強度が所定の水準Ｐｎ以上である周波数が全く存在しないとき（ステップＳ５０４：Ｙｅｓ）には、図５に「終了（２）」と表記されたように、目的とする周波数の判定が行えなかったという形で処理を終了する。
【００４９】
また、周波数波範囲ｆBWにおける所定の全ての被検出周波数に対して同期部１４１における相関ピーク検出の状況に基づいて通信周波数ｆｃに該当する周波数の探索を行っても該当する周波数が判定されないときにも（ステップＳ５０７：Ｎｏ→ステップＳ５０８：Ｙｅｓ）、図５に「終了（３）」と表記されたように、目的とする周波数の判定が行えなかったという形で処理を終了する。
【００５０】
（第３の実施例）
図６は、既述の実施の形態をより具体的にした本発明の第３の実施例について説明するためのフローチャートである。尚、第３の実施例のブロック図上での構成は既述の図１および図２と同様であり、図６のフローチャートに表されている機能は、システムコントローラ１５０がＲＦ信号受信部１１０、ＡＤ変換部１２０、ＲＦ信号強度検出部１３０、および、信号処理部１４０を統括的に制御して、それらの動作の態様やタイミングの歩調を適切に調整すると共に、自己に備えられた上述の周波数選択部１５１、第１通信周波数判定部１５２、および、第２通信周波数判定部１５３を適切に働かせることによって実現される。
【００５１】
この第３の実施例では、所望の通信情報を担う通信周波数ｆｃが含まれていると見込まれる所定の周波数範囲ｆBWにおける予定された複数の被検出周波数を当該被検出周波数が通信周波数ｆｃに該当する確率の高い順に逐次受信し、逐次受信する毎に図２の同期部１４１における相関ピーク検出の状況に基づいて通信周波数ｆｃに該当するか否かを判定する。
【００５２】
図７は、周波数範囲ｆBWが８００ＭＨｚ〜８９０ＭＨｚ、被検出周波数はこの周波数範囲ｆBW内で１０ＭＨｚ間隔で１０ポイントあると想定した場合の、各被検出周波数が通信周波数ｆｃに該当する確率を表した図である。
ＲＦ信号受信部１１０は、システムコントローラ１５０の制御下で、周波数範囲ｆBWにおける予定された複数の被検出周波数を当該被検出周波数が通信周波数ｆｃに該当する確率の高い順に逐次受信し、ＲＦ信号強度検出部１３０は、システムコントローラ１５０の制御下で、ＲＦ信号受信部１１０によって逐次受信された被検出周波数毎のＲＦ信号の信号強度をそれぞれ検出し、周波数選択部１５１は、ＲＦ信号強度検出部１３０で検出された当該信号強度に対応する周波数を通信周波数ｆｃの候補として選択し、第１周波数判定部１５２は、システムコントローラ１５０の制御下（それ自体のマイクロプロセッサの作用）で、周波数選択部１５１によって通信周波数の候補として選択された周波数に関して図２の同期部１４１における相関ピーク検出の状況に基づいて通信周波数ｆｃに該当するか否かを判定する（ステップＳ６０１→ステップＳ６０２→ステップＳ６０３→ステップＳ６０４→ステップＳ６０５→ステップＳ６０６→ステップＳ６０２）。
【００５３】
同期部１４１における相関ピーク検出の状況に基づいて通信周波数ｆｃに該当する周波数が判定されたときには（ステップＳ６０４：Ｙｅｓ）、図６に「終了（１）」と表記されたように、目的とする周波数の判定が完了した形で処理を終了し、一方、周波数波範囲ｆBWにおける所定の全ての被検出周波数に対して同期部１４１における相関ピーク検出の状況に基づいて通信周波数ｆｃに該当する周波数の探索を行っても該当する周波数が判定されないときには（ステップＳ６０４：Ｎｏ→ステップＳ６０５：Ｙｅｓ）、図６に「終了（２）」と表記されたように、目的とする周波数の判定が行えなかったという形で処理を終了する。
【００５４】
（第４の実施例）
図８は、既述の実施の形態をより具体的にした本発明の第４の実施例について説明するためのフローチャートである。尚、第４の実施例のブロック図上での構成は既述の図１および図２と同様であり、図８のフローチャートに表されている機能は、システムコントローラ１５０がＲＦ信号受信部１１０、ＡＤ変換部１２０、ＲＦ信号強度検出部１３０、および、信号処理部１４０を統括的に制御して、それらの動作の態様やタイミングの歩調を適切に調整すると共に、自己に備えられた上述の周波数選択部１５１、第１通信周波数判定部１５２、および、第２通信周波数判定部１５３を適切に働かせることによって実現される。
【００５５】
第４の実施例では、所望の通信情報を担う通信周波数ｆｃが含まれていると見込まれる所定の周波数範囲ｆBWにおける予定された複数の被検出周波数を当該被検出周波数が通信周波数ｆｃに該当する確率の高い順に逐次受信し、逐次受信された被検出周波数毎のＲＦ信号の信号強度が所定の水準Ｐｎ以上である信号強度に対応する周波数に関して、同期部における相関ピーク検出の状況に基づいて通信周波数ｆｃに該当するか否かを判定する。
【００５６】
即ち、ＲＦ信号受信部１１０は、システムコントローラ１５０の制御下で、周波数範囲ｆBWにおける予定された複数の被検出周波数を当該被検出周波数が通信周波数ｆｃに該当する確率の高い順に逐次受信し、ＲＦ信号強度検出部１３０は、システムコントローラ１５０の制御下で、ＲＦ信号受信部１１０によって逐次受信された被検出周波数毎のＲＦ信号の信号強度をそれぞれ検出する（ステップＳ８０１→ステップＳ８０２→ステップＳ８０３→ステップＳ８０４→ステップＳ８０５→ステップＳ８０２）。
【００５７】
周波数選択部１５１は、ＲＦ信号強度検出部１３０で検出された当該信号強度が所定の水準Ｐｎ以上である信号強度に対応する周波数を通信周波数ｆｃの候補として選択し、第１周波数判定部１５２は、システムコントローラ１５０の制御下（それ自体のマイクロプロセッサの作用）で、周波数選択部１５１によって通信周波数ｆｃの候補であると選択された周波数に関して図２の同期部１４１における相関ピーク検出の状況に基づいて通信周波数ｆｃに該当するか否かを判定する（ステップＳ８０３→ステップＳ８０６→ステップＳ８０７→ステップＳ８０８→ステップＳ８０９→ステップＳ８０２）。
【００５８】
同期部１４１における相関ピーク検出の状況に基づいて通信周波数ｆｃに該当する周波数が判定されたときには（ステップＳ８０７：Ｙｅｓ）、図８に「終了（１）」と表記されたように、目的とする周波数の判定が完了した形で処理を終了し、一方、ＲＦ信号強度検出部１３０によって検出された信号強度が所定の水準Ｐｎ以上である周波数が全く存在しないとき（ステップＳ８０４：Ｙｅｓ）には、図８に「終了（２）」と表記されたように、目的とする周波数の判定が行えなかったという形で処理を終了する。
【００５９】
また、周波数波範囲ｆBWにおける所定の全ての被検出周波数に対して同期部１４１における相関ピーク検出の状況に基づいて通信周波数ｆｃに該当する周波数の探索を行っても該当する周波数が判定されないときにも（ステップＳ８０４：Ｎｏ→ステップＳ８０８：Ｙｅｓ）、図８に「終了（３）」と表記されたように、目的とする周波数の判定が行えなかったという形で処理を終了する。
尚、周波数範囲ｆBWが８００ＭＨｚ〜８９０ＭＨｚ、被検出周波数はこの範囲ｆBW内で１０ＭＨｚ間隔で１０ポイントあると想定した場合の、各被検出周波数が通信周波数ｆｃに該当する確率は、例えば、図７と同様に仮定して技術思想の理解に支障はない。
【００６０】
（第５の実施例）
図９は、既述の実施の形態をより具体的にした本発明の第５の実施例について説明するためのフローチャートである。尚、第５の実施例のブロック図上での構成は既述の図１および図２と同様であり、図９のフローチャートに表されている機能は、システムコントローラ１５０がＲＦ信号受信部１１０、ＡＤ変換部１２０、ＲＦ信号強度検出部１３０、および、信号処理部１４０を統括的に制御して、それらの動作の態様やタイミングの歩調を適切に調整すると共に、自己に備えられた上述の周波数選択部１５１、第１通信周波数判定部１５２、および、第２通信周波数判定部１５３を適切に働かせることによって実現される。
【００６１】
この第５の実施例では、所望の通信情報を担う通信周波数が含まれていると見込まれる所定の周波数範囲ｆBWにおける所定の全ての被検出周波数を走査するように逐次受信し、更に、各被検出周波数毎の信号強度に当該各被検出周波数が通信周波数ｆｃに該当する確率を乗じて得た重み付けされたレベルの高さの順位を当該各信号強度に対応する周波数が通信周波数に一致している蓋然性の高さの順位であるとして、この順位に従って、同期部における相関ピーク検出の状況に基づいて通信周波数ｆｃに該当するか否かを逐次判定する。
【００６２】
即ち、ＲＦ信号受信部１１０は、システムコントローラ１５０の制御下で、周波数範囲ｆBWにおける所定の全ての被検出周波数を走査するように受信周波数を逐次切換えて受信し、ＲＦ信号強度検出部１３０は、システムコントローラ１５０の制御下で、ＲＦ信号受信部１１０によって逐次受信された全ての被検出周波数の各ＲＦ信号の信号強度をそれぞれ検出し該検出された信号強度を当該各信号強度に対応する周波数と共に保持する（ステップＳ９０１→ステップＳ９０２→ステップＳ９０３→ステップＳ９０４→ステップＳ９０５→ステップＳ９０２）。
【００６３】
周波数選択部１５１は、ＲＦ信号強度検出部１３０に保持された各被検出周波数毎の信号強度に当該各被検出周波数が通信周波数ｆｃに該当する確率を乗じて得た重み付けされたレベルの高さの順に当該各信号強度に対応する周波数を選択し、更に、第１周波数判定部１５２は、システムコントローラ１５０の制御下（それ自体のマイクロプロセッサの作用）で、周波数選択部１５１によって選択された順に従って、図２の同期部１４１における相関ピーク検出の状況に基づいて通信周波数ｆｃに該当するか否かを逐次判定する（ステップＳ９０６→ステップＳ９０７→ステップＳ９０８→ステップＳ９０９→ステップＳ９１０→ステップＳ９１１→ステップＳ９０８）。
【００６４】
同期部１４１における相関ピーク検出の状況に基づいて通信周波数ｆｃに該当する周波数が判定されたときには（ステップＳ９０９：Ｙｅｓ）、図９に「終了（１）」と表記されたように、目的とする周波数の判定が完了した形で処理を終了し、一方、周波数波範囲ｆBWにおける所定の全ての被検出周波数に対して同期部１４１における相関ピーク検出の状況に基づいて通信周波数ｆｃに該当する周波数の探索を行っても該当する周波数が判定されないときには（ステップＳ９０９：Ｎｏ→ステップＳ９１０：Ｙｅｓ）、図９に「終了（２）」と表記されたように、目的とする周波数の判定が行えなかったという形で処理を終了する。
【００６５】
図１０は、図９を参照して説明した第５の実施例におけるように、重み付けされたレベルによって通信周波数ｆｃに該当する周波数の探索を行う様子を説明するための図である。図１０（ａ）は、周波数範囲ｆBWが８００ＭＨｚ〜８９０ＭＨｚ、被検出周波数はこの範囲内で１０ＭＨｚ間隔で１０ポイントあると想定した場合の、各被検出周波数の信号強度を電力（或る相対値）で表した既述の図４と同様の図である。
【００６６】
図１０（ｂ）は、周波数範囲ｆBWが８００ＭＨｚ〜８９０ＭＨｚ、被検出周波数はこの範囲ｆBW内で１０ＭＨｚ間隔で１０ポイントあると想定した場合の、各被検出周波数が通信周波数ｆｃに該当する確率を表した既述の図７と同様の図である。
図１０（ｃ）は、図１０（ａ）の１０ポイントの各被検出周波数毎に対応する当該各被検出周波数が通信周波数ｆｃに該当する確率を乗じて得た重み付けされたレベルを表す図である。
【００６７】
図９のフローチャートにおけるステップＳ９０８では、このような重み付けされたレベルの高い順に、周波数を通信周波数ｆｃである蓋然性の高さの順位であるとして選択し、その順に図２の同期部１４１における相関ピーク検出の状況に基づく判定に付する。
図１１〜図１３は、上述の第１の実施例ないし第５の実施例において、図１のＲＦ信号強度検出部１３０としてより具体的な回路部を適用した構成例を表すブロック図である。図１１〜図１３において既述の図１との対応部には同一の参照符号を付して示し、それらの説明は省略する。
【００６８】
図１１の拡散符号を用いた通信方式の受信装置１１では、ＲＦ信号強度検出部１３０として、ＲＦ信号受信部１１０で受信された信号をＡＤ変換部１２０でデジタル化して得たデジタル信号に関する振幅の値に所定の平均化処理を施して得た平均化振幅レベルを検出出力として得る平均化振幅レベル検出回路１３１が適用されている。
また、図１２の拡散符号を用いた通信方式の受信装置１２では、ＲＦ信号強度検出部１３０として、ＲＦ信号受信部１１０で受信された信号をＡＤ変換部１２０でデジタル化して得たデジタル信号に対して所定のフィルタリングおよび積分処理を施して得たフィルタリング・積分値を検出出力として得るフィルタリング・積分値検出回路１３２が適用されている。
更に、図１３の拡散符号を用いた通信方式の受信装置１３では、ＲＦ信号強度検出部１３０として、ＲＦ信号受信部１１０で受信された信号に関するＲＳＳＩ（Receive Signal Strength Indication）における検出電力の値を検出出力として得るＲＳＳＩ部１３３が適用されている。
【００６９】
図１４は、本発明の他の実施の形態としての拡散符号を用いた通信方式の受信装置を表すブロック図である。図１４の拡散符号を用いた通信方式の受信装置２０も、拡散符号を用いた通信方式の信号を受信するＲＦ受信部２１０で受信される信号の周波数範囲から所望の通信情報を担う通信周波数を判定するように構成されている。
ＲＦ信号受信部２１０で受信された信号はＡＤ変換部２２０でデジタル信号に変換され、このデジタル信号が、上記の通信周波数ｆｃが含まれていると見込まれる所定の周波数範囲ｆBWに亘って受信周波数に対応するＲＦ信号の信号強度を検出するＲＦ信号強度検出部２３０に供給されると共に、該デジタル信号に所謂ベースバンド処理に該当する処理を含む復号処理を施して元の情報を得る信号処理部２４０に供給される。
【００７０】
信号処理部２４０は図２を参照してその内部構成の要部が示された信号処理部１４０と同様の構成を有する。
ＲＦ信号受信部２１０、ＡＤ変換部２２０、ＲＦ信号強度検出部２３０、および、信号処理部２４０はシステムコントローラ２５０によって統括的に動作の態様やタイミングの歩調がとられるように制御される。
【００７１】
この図１４の実施の形態では、システムコントローラ２５０は例えばマイクロプロセッサを主体に構成され、図１の実施の形態における周波数選択部１５１や第１の通信周波数判定部１５２を持たず、通信周波数ｆｃが含まれていると見込まれる所定の周波数範囲ｆBWの全域から、図２の同期部１４１における当該相関ピーク検出の状況に基づいて通信周波数ｆｃを判定する通信周波数判定部２５５を含む。
【００７２】
尚、より厳密には、通信周波数判定部２５５は、その要素として、図１４のブロック図における信号処理部２４０の一部に該当する図２の同期部１４１を含んで構成される。
図１４および図２を参照して説明した本発明の他の実施の形態では、受信されるＲＦ信号強度が所定の水準Ｐｎ（例えばノイズフロア程度のレベル）を下回る場合でも受信信号の復調が可能であるといった拡散符号を用いた通信方式の受信装置の特徴がそのまま発揮される。
更に、図２の同期部１４１における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【００７３】
以上、本発明の拡散符号を用いた通信方式の受信装置の実施の形態について説明したが、図１ないし図１３を参照して説明した本発明の拡散符号を用いた通信方式の受信装置に係る技術思想は、拡散符号を用いた通信方式の通信に用いられる周波数範囲から所望の通信情報を担う通信周波数を判定する拡散符号を用いた通信方式の受信方法を提案するものでもある。
【００７４】
即ち、拡散符号を用いた通信方式の通信に用いられる周波数範囲ｆBWから所望の通信情報を担う通信周波数ｆｃを判定する拡散符号を用いた通信方式の受信方法であって、通信周波数ｆｃが含まれていると見込まれる所定の周波数範囲ｆBWに亘って受信周波数に対応するＲＦ信号の信号強度を検出し（１３０）、該検出した信号強度が所定の水準Ｐｎを上回る場合には受信周波数範囲ｆBWから通信周波数ｆｃに該当している蓋然性がある周波数の候補として選択し（１５１）、選択した周波数の候補のうちから、拡散符号を用いた通信方式の信号の復調に係る同期処理（１４１）における当該相関ピーク検出の状況に基づいて通信周波数ｆｃを判定し（１５２）、検出したＲＦ信号強度が所定の水準Ｐｎ以下である場合には、周波数範囲ｆBWの全域から、拡散符号を用いた通信方式の信号の復調に係る同期処理（１４１）における当該相関ピーク検出の状況に基づいて通信周波数ｆｃを判定することを特徴とする拡散符号を用いた通信方式の受信方法という技術思想である。
【００７５】
このような拡散符号を用いた通信方式の受信方法では、通信周波数が含まれていると見込まれる所定の周波数範囲ｆBWに亘って受信周波数に対応するＲＦ信号の信号強度を検出し、該検出した信号強度が所定の水準Ｐｎを上回る場合には受信周波数範囲ｆBWから通信周波数ｆｃに該当している蓋然性がある周波数の候補として選択し、該選択した周波数ｆｃの候補のうちから、拡散符号を用いた通信方式の信号の復調に係る同期処理における当該相関ピーク検出の状況に基づいて通信周波数ｆｃを判定し、一方、検出したＲＦ信号強度が所定の水準Ｐｎ以下である場合には、周波数範囲ｆBWの全域から、拡散符号を用いた通信方式の信号の復調に係る同期処理における当該相関ピーク検出の状況に基づいて前記通信周波数を判定する。
【００７６】
検出されたＲＦ信号の信号強度が所定の水準Ｐｎ（例えば、所謂ノイズフロア）を上回る場合には、周波数選択部によって絞り込まれた限定的な周波数範囲に関して拡散符号を用いた通信方式の信号の復調に係る同期処理における当該相関ピーク検出の状況に基づいて通信周波数ｆｃを判定する。このため、同期処理における当該相関ピーク検出を俟って行う判定処理の対象が相対的に限定されたものとなって、判定時間が短縮され、ひいては、消費電力が低減される。
【００７７】
他方、ＲＦ信号強度が所定の水準Ｐｎ以下である場合にも通信周波数を判定することができるため、受信されるＲＦ信号強度が例えばノイズフロアを下回る場合でも受信信号の復調が可能であるといった拡散符号を用いた通信方式の受信装置の特徴がそのまま発揮され得る。
同期処理における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【００７８】
また、図１４および図２を参照して説明した本発明の拡散符号を用いた通信方式の受信装置に係る技術思想は、拡散符号を用いた通信方式の通信に用いられる周波数範囲から所望の通信情報を担う通信周波数を判定する他の態様の拡散符号を用いた通信方式の受信方法を提案するものでもある。
即ち、拡散符号を用いた通信方式の通信に用いられる周波数範囲ｆBWから所望の通信情報を担う通信周波数ｆｃを判定する拡散符号を用いた通信方式の受信方法であって、通信周波数ｆｃが含まれていると見込まれる所定の周波数範囲ｆBWに亘って受信周波数に対応するＲＦ信号の信号強度を検出し、周波数範囲ｆBWの全域から、拡散符号を用いた通信方式の信号の復調に係る同期処理における当該相関ピーク検出の状況に基づいて通信周波数ｆｃを判定することを特徴とする拡散符号を用いた通信方式の受信方法というものである。
【００７９】
この拡散符号を用いた通信方式の受信方法では、所望の通信情報を担う通信周波数が含まれていると見込まれる所定の周波数範囲ｆBWに亘って受信周波数に対応するＲＦ信号の信号強度を検出し、周波数範囲ｆBWの全域から、拡散符号を用いた通信方式の信号の復調に係る同期処理における当該相関ピーク検出の状況に基づいて通信周波数ｆｃを判定する。
同期処理における当該相関ピーク検出自体に要する時間は、所謂ベースバンド処理をすべて完了するに要する時間との相対において例えば数１０分の１程度と極めて短時間であるため、全体的に、所望の通信情報を担う通信周波数の判定時間が大幅に短縮され、且つ、消費電力が低減される。
【図面の簡単な説明】
【００８０】
【図１】本発明の実施の形態としての拡散符号を用いた通信方式の受信装置を表すブロック図である。
【図２】図１の拡散符号を用いた通信方式の受信装置における信号処理部の内部構成の要部を表すブロック図である。
【図３】図１の実施の形態をより具体的にした本発明の第１の実施例について説明するためのフローチャートである。
【図４】図３の本発明の第１の実施例および図５の本発明の第２の実施例の作用について説明するための図である。
【図５】図１の実施の形態をより具体的にした本発明の第２の実施例について説明するためのフローチャートである。
【図６】図１の実施の形態をより具体的にした本発明の第３の実施例について説明するためのフローチャートである。
【図７】図６の本発明の第３の実施例の作用について説明するための図である。
【図８】図１の実施の形態をより具体的にした本発明の第４の実施例について説明するためのフローチャートである。
【図９】図１の実施の形態をより具体的にした本発明の第５の実施例について説明するためのフローチャートである。
【図１０】図９の本発明の第５の実施例の作用について説明するための図である。
【図１１】第１の実施例ないし第５の実施例において、図１のＲＦ信号強度検出部としてより具体的な回路部を適用した構成例を表すブロック図である。
【図１２】第１の実施例ないし第５の実施例において、図１のＲＦ信号強度検出部としてより具体的な回路部を適用した他の構成例を表すブロック図である。
【図１３】第１の実施例ないし第５の実施例において、図１のＲＦ信号強度検出部としてより具体的な回路部を適用した更に他の構成例を表すブロック図である。
【図１４】本発明の他の実施の形態としての拡散符号を用いた通信方式の受信装置を表すブロック図である。
【符号の説明】
【００８１】
１０，２０…拡散符号を用いた通信方式の受信装置  １１０，２１０…ＲＦ信号受信部  １２０，２２０…ＡＤ変換部  １３０，２３０…ＲＦ信号強度検出部  １４０，２４０…信号処理部        １４１…同期部  １４２…逆拡散部  １４３…データ判定部  １４４…復号部  １５０，２５０…システムコントローラ  １５１…周波数選択部  １５２…第１通信周波数判定部  １５３…第２通信周波数判定部  ２５５…通信周波数判定部
【図１】
2008153814.tif 000003
【図２】
2008153814.tif 000004
【図３】
2008153814.tif 000005
【図４】
2008153814.tif 000006
【図５】
2008153814.tif 000007
【図６】
2008153814.tif 000008
【図７】
2008153814.tif 000009
【図８】
2008153814.tif 000010
【図９】
2008153814.tif 000011
【図１０】
2008153814.tif 000012
【図１１】
2008153814.tif 000013
【図１２】
2008153814.tif 000014
【図１３】
2008153814.tif 000015
【図１４】
2008153814.tif 000016